(57)【要約】【課題】水面に浮かんだ浮遊油を回収部に適切に回収できる油回収装置を提供する。【解決手段】油回収装置１１は、モータからの動力で回転する回転体１３と、回転体１３とともに回転する弾性板１４と、下部が水面下に位置し弾性板１４が接触する案内体１７とを備える。回転体１３が回転すると、浮遊油が弾性板１４にて案内体１７上を移動して回収容器１０内に落下する。【選択図】        図２
2004321873.tif 000002
【特許請求の範囲】
【請求項１】
水面に浮かんだ浮遊油を回収部に回収する油回収装置であって、
回転中心軸線を中心として回転する回転体と、
この回転体に設けられた弾性板と、
下部が水面下に位置し、前記弾性板が接触する案内体とを備え、
前記回転体の回転により、浮遊油が前記弾性板にて押し上げられながら前記案内体上を移動して前記回収部に回収される
ことを特徴とする油回収装置。
【請求項２】
水面に浮かんだ浮遊油を回収部に回収する油回収装置であって、
水平方向の回転中心軸線を中心として回転する略円柱状の回転体と、
この回転体に設けられ、この回転体の周面から放射状に突出した複数の弾性板と、
下部が水面下に位置し、前記各弾性板が接触する案内体とを備え、
前記回転体の回転により、浮遊油が前記各弾性板にて押し上げられながら前記案内体上を移動して前記回収部に回収される
ことを特徴とする油回収装置。
【請求項３】
弾性板には、浮遊油とともに押し上げられた水を逃がす水流出用切欠部が形成されている
ことを特徴とする請求項１または２記載の油回収装置。
【請求項４】
弾性板に付着した浮遊油を取って回収部に導く付着油除去体を備える
ことを特徴とする請求項１または３のいずれか一記載の油回収装置。
【発明の詳細な説明】
【０００１】
【発明の属する技術分野】
本発明は、水面に浮かんだ浮遊油を回収するための油回収装置に関する。
【０００２】
【従来の技術】
例えばレストラン、食堂、ラーメン屋、弁当惣菜店、食品工場、デパートおよびスーパー等における業務用厨房からでる排水（厨房排水）には、多量の油脂分が含まれており、この油脂分を適切に除去しないでいると、下水道管内に油がこびりつき、管詰まりおよび悪臭の発生原因となる。
【０００３】
このため、旧建設省（現国土交通省）の告示第１５９７号により、業務用厨房には、排水中の油脂分を除去する排水浄化システムであるグリーストラップ（阻集器）を設置することが義務付けられている。
【０００４】
そして、従来から、このグリーストラップの浮上槽部（第２槽部）内の排水の水面に浮かんだ浮遊油を回収部に回収する油回収装置として、例えば特開２０００−１５３２６９号公報記載のロール式のものが知られている（例えば、特許文献１参照。）。
【０００５】
このロール式の油回収装置は、水平方向の回転中心軸線を中心として回転する回収ロールと、回収ロールを回転させるモータと、回収ロールのローラ表面に付着して水面上に引き上げられる浮遊油を掻き取るスクレーパと、スクレーパにて掻き取られた浮遊油を貯留する貯留槽とを備えている。
【０００６】
【特許文献１】
特開２０００−１５３２６９号公報（第２頁、図４）
【０００７】
【発明が解決しようとする課題】
しかしながら、上記従来の油回収装置のように、回収ロールのローラ表面に付着した浮遊油をスクレーパにて掻き取って貯留槽に回収する構成では、例えばグリーストラップの浮上槽部内の排水の水面に浮かんだ浮遊油を適切に回収できないおそれがある。
【０００８】
本発明は、このような点に鑑みなされたもので、水面に浮かんだ浮遊油を回収部に適切に回収することができる油回収装置を提供することを目的とする。
【０００９】
【課題を解決するための手段】
請求項１記載の油回収装置は、水面に浮かんだ浮遊油を回収部に回収する油回収装置であって、回転中心軸線を中心として回転する回転体と、この回転体に設けられた弾性板と、下部が水面下に位置し、前記弾性板が接触する案内体とを備え、前記回転体の回転により、浮遊油が前記弾性板にて押し上げられながら前記案内体上を移動して前記回収部に回収されるものである。
【００１０】
そして、回転体の回転により、浮遊油が弾性板にて押し上げられながら案内体上を移動して回収部に回収されるため、水面に浮かんだ浮遊油が回収部に適切に回収される。
【００１１】
請求項２記載の油回収装置は、水面に浮かんだ浮遊油を回収部に回収する油回収装置であって、水平方向の回転中心軸線を中心として回転する略円柱状の回転体と、この回転体に設けられ、この回転体の周面から放射状に突出した複数の弾性板と、下部が水面下に位置し、前記各弾性板が接触する案内体とを備え、前記回転体の回転により、浮遊油が前記各弾性板にて押し上げられながら前記案内体上を移動して前記回収部に回収されるものである。
【００１２】
そして、回転体の回転により、浮遊油が各弾性板にて押し上げられながら案内体上を移動して回収部に回収されるため、水面に浮かんだ浮遊油が回収部に適切にかつ効率よく回収される。
【００１３】
請求項３記載の油回収装置は、請求項１または２記載の油回収装置において、弾性板には、浮遊油とともに押し上げられた水を逃がす水流出用切欠部が形成されているものである。
【００１４】
そして、弾性板の水流出用切欠部によって、浮遊油とともに押し上げられた水を逃がすことにより、回収部に水が回収されることが抑制される。
【００１５】
請求項４記載の油回収装置は、請求項１ないし３のいずれか一記載の油回収装置において、弾性板に付着した浮遊油を取って回収部に導く付着油除去体を備えるものである。
【００１６】
そして、弾性板に付着した浮遊油を取って回収部に導く付着油除去体を備えるため、回収効率の向上が図られる。
【００１７】
【発明の実施の形態】
以下、本発明の油回収装置の一実施の形態の構成を図面を参照して説明する。
【００１８】
図１において、１は業務用厨房の床下に設置された排水浄化システムであるグリーストラップで、このグリーストラップ１は、油脂分を多量に含んだ厨房排水である排水が下水道管内に排出されないように、業務用厨房からの排水中の油脂分およびごみ等を除去するものである。
【００１９】
このグリーストラップ１は、２枚の仕切板２にて仕切られた３つの槽部、すなわち上流から下流に向って順に、第１槽部３、第２槽部４および第３槽部５を具備している。
【００２０】
第１槽部３では、排水中の固形物であるごみがバケット６にて除去される。第２槽部４では、排水の流速がコントロールされ、排水中の油脂分が浮上分離により除去される。第３槽部５では、下水ガス等が逆流しないようにされた状態で、処理済排水が排出管７から排出される。
【００２１】
そして、このようなグリーストラップ１の浮上槽部である第２槽部４には、図１および図２に示されるように、第２槽部４内の排水の水面Ａに浮かんだ浮遊油Ｂを回収部である回収容器１０に回収する油回収装置１１が設けられている。
【００２２】
ここで、油回収装置１１は、図２および図３に示すように、水平状に配設され減速モータ等の駆動手段（図示しない）からの動力で水平方向の回転中心軸線Ｘを中心として所定方向（図示イ方向）に回転する略円柱状の回転体１３を備えている。
【００２３】
この回転体１３には、水平方向に細長い略矩形状をなす複数、例えば４枚のゴム板等の弾性板（ゴム羽根）１４が回転体１３とともに回転するように一体的に設けられている。これらの４枚の弾性板１４は、回転体１３の周面から放射状、例えば９０度間隔をおいて４方向に向って突出し、側面視で略十字状に位置する。
【００２４】
そして、各弾性板１４の長手方向に沿った一端部である基端部は回転体１３の板保持部に着脱可能に取り付けられ、各弾性板１４の長手方向に沿った他端部である先端部が自由端部となっている。また、各弾性板１４の先端部の長手方向両端部（角部）には、それぞれ、浮遊油Ｂとともに押し上げられた水Ｃを逃がす水流出用切欠部１５が形成されている。例えば、弾性板１４の先端部の角が三角状に１ｍｍ〜２ｍｍカットされることで、水流出用切欠部１５が形成されている。弾性板１４の厚さは例えば３ｍｍ〜５ｍｍで、幅は例えば５５ｍｍ〜６０ｍｍである。
【００２５】
また、油回収装置１１は、回収容器１０を備えるとともに、この回収容器１０の近傍に配設されステンレス製の板状部材にて形成され回転体１３の回転時に各弾性板１４の先端部が断続的に接触する板状の案内体１７を備えている。この案内体１７の下部は水面Ａ下に位置し、この案内体１７の上部は水面Ａ上に位置して回収容器１０に隣接している。
【００２６】
そして、弾性板１４の下方部を覆う半円形状の下部ケーシングを兼ねた案内体１７は、弾性板１４の先端移動位置に対してややずれて位置する略円弧状の第１案内面１８を有し、この第１案内面１８の上端には、回収容器１０の開口部１０ａに向って下り傾斜状の第２案内面１９が連設されている。なお、第１案内面１８の下端には、弾性板１４の先端移動位置から少し離れて常時水面Ａ下に位置する水平面２０が連設されている。案内体１７の厚さは、例えば０．２ｍｍ〜０．３ｍｍである。
【００２７】
さらに、油回収装置１１は、弾性板１４の先端部に付着した浮遊油Ｂを掻き取り、この掻き取った浮遊油Ｂを下方の開口部１０ａに向けて落下させるようにして回収容器１０に導く付着油除去体である爪付ワイパー２１を備えている。
【００２８】
この爪付ワイパー２１は、弾性板１４の上方部を覆う半円形状の上部ケーシングを兼ねた支持板２２の下端部に取り付けられている。また、弾性板１４の左右の側方部は、互いに離間対向した円板状の左右一対の側板であるガード板２３で覆われている。
【００２９】
そして、図示しない駆動手段からの動力に基づく回転体１３の回転中心軸線Ｘを中心とする所定方向への回転により、浮遊油Ｂが、各弾性板１４の先端部にて押し上げられながら案内体１７上を移動し、回収容器１０にその開口部１０ａから回収されるようになっている。
【００３０】
なお、油回収装置１１は、既設のグリーストラップ１に対して後付け可能な１ユニット構造となている。また、油回収装置１１のグリーストラップ１との連結部（図示しない）は、既設のグリーストラップ１の大きさに応じて設定可能となっており、各種サイズのグリーストラップ１に対応できるようになっている。
【００３１】
次に、上記グリーストラップ１の作用等について説明する。
【００３２】
業務用厨房からでた排水は、第１槽部３内に導入され、その排水中のごみがバケット６にて除去される。
【００３３】
ごみが除去された排水は、仕切板２の下方から第２槽部４内に導入され、その排水中の油脂分が浮上分離により除去され、この浮上分離された油脂分が浮遊油Ｂとなる（例えば厚さ５ｍｍ〜１０ｍｍ）。油脂分が除去された排水は、仕切板２の下方から第３槽部５内に導入されて排出管７から排出される。
【００３４】
そして、第２槽部４内の排水の水面Ａに浮かんだ浮遊油Ｂは、油回収装置１１の回転体１３の回転時（回転速度は例えば１分間で１回転）に、弾性板１４のうち案内体１７の第１案内面１８との接触により略円弧状に弾性変形した先端部によって、案内体１７上を第１案内面１８に沿って第１案内面１８の上端まで押し上げられる。
【００３５】
第１案内面１８の上端まで押し上げられた浮遊油Ｂは、その自重により第２案内面１９上を流れて開口部１０ａから回収容器１０内に落下し、回収される。
【００３６】
なお、浮遊油Ｂとともに押し上げられた水Ｃ、つまり弾性板１４の変形した先端部にて浮遊油Ｂとともに捕捉された水Ｃは、浮遊油Ｂより重いため、第１案内面１８の途中で、ガード板２３にて覆われていない側方部から逃げるとともに、水流出用切欠部１５から逃げる。このため、水Ｃは回収容器１０に回収されず、例えば油分９９％の確率で浮遊油Ｂが着脱可能な回収容器（タンク）１０に回収されることとなる。なお、水面Ａに浮遊油Ｂがない場合でも同様、水は一旦捕捉されたとしても、回収容器１０には回収されない。
【００３７】
また、第１案内面１８の上端から離れた弾性板１４は、水平姿勢になった時点（例えば回転体１３が４分の１回転した時点、つまり垂直姿勢から１５秒経過後）で、爪付ワイパー２１に接触し、弾性板１４の先端部に付着した浮遊油Ｂは爪付ワイパー２１にて掻き取られる。この掻き取られた浮遊油Ｂは、その自重により開口部１０ａから回収容器１０内に落下し、回収される。
【００３８】
このようにして、浮遊油Ｂは、回収容器１０に回収されるため、第２槽部４内の排水の水面Ａ上に多量の浮遊油Ｂが蓄積されるようなことがなく、悪臭および害虫等の発生が抑制される。
【００３９】
そして、上記グリーストラップ１の油回収装置１１の回転体１３の回転により、浮遊油Ｂが各弾性板１４にて押し上げられながら案内体１７の第１案内面１８上を移動し、その後第２案内面１９上を滑落して回収容器１０内に回収されるため、従来のロール式の油回収装置に比べて、浮上槽部４内の排水の水面Ａに浮かんだ浮遊油Ｂを回収容器１０に適切にかつ効率よく回収することができる。
【００４０】
例えば、弾性板１４の長さ寸法が１０ｃｍの場合、植物油、動物油等の相違および廃油量の大小等にかかわらず、浮遊油Ｂを１時間で１ｌ〜１．５ｌ程度回収可能である。
【００４１】
また、ロール式の油回収装置のようにローラ表面の面積確保のために装置全体が大型化するという欠点もなく、容易にコンパクト化を図ることができる。
【００４２】
また、弾性板１４の水流出用切欠部１５によって、浮遊油Ｂとともに押し上げられた水Ｃを浮遊油Ｂとの比重差を利用して逃がすことにより、回収容器１０に水Ｃが回収されることを抑制でき、浮遊油Ｂのみを回収できる。
【００４３】
さらに、弾性板１４に付着した浮遊油Ｂを掻き取って回収容器１０に導き入れる爪付ワイパー２１を備えるため、このような爪付ワイパー２１を備えない場合に比べて、回収効率を良くできる。
【００４４】
なお、油回収装置１１は、業務用厨房用のグリーストラップ１以外の排水浄化システムにも適用することができる。
【００４５】
また、浮遊油Ｂが回収される着脱可能な回収部は、上面開口状の回収容器には限定されず、例えばろ過袋等でもよい。
【００４６】
さらに、浮遊油Ｂを掬い上げるための弾性板１４を４枚設けたものには限定されず、２枚、３枚或いは５枚以上の複数の弾性板１４を設けたもの等でもよい。
【００４７】
【発明の効果】
請求項１の発明によれば、回転体の回転により、浮遊油が弾性板にて押し上げられながら案内体上を移動して回収部に回収されるため、水面に浮かんだ浮遊油を回収部に適切に回収することができる。
【００４８】
請求項２の発明によれば、回転体の回転により、浮遊油が各弾性板にて押し上げられながら案内体上を移動して回収部に回収されるため、水面に浮かんだ浮遊油を回収部に適切にかつ効率よく回収することができる。
【００４９】
請求項３の発明によれば、弾性板の水流出用切欠部によって、浮遊油とともに押し上げられた水を逃がすことにより、回収部に水が回収されることを抑制できる。
【００５０】
請求項４の発明によれば、弾性板に付着した浮遊油を取って回収部に導く付着油除去体を備えるため、回収効率の向上を図ることができる。
【図面の簡単な説明】
【図１】本発明の油回収装置の一実施の形態を備えたグリーストラップの概要図である。
【図２】同上油回収装置の側面図である。
【図３】同上油回収装置の斜視図である。
【符号の説明】
１０    回収部である回収容器
１１    油回収装置
１３    回転体
１４    弾性板
１５    水流出用切欠部
１７    案内体
２１    付着油除去体である爪付ワイパー
Ａ    水面
Ｂ    浮遊油
Ｃ    水
Ｘ    回転中心軸線
【図１】
2004321873.tif 000003
【図２】
2004321873.tif 000004
【図３】
2004321873.tif 000005